(57)【要約】【課題】        スマホをひったくられないようにすること。【解決手段】  スマホがひったくられないように、スマホと身体とを繋いでおく。【選択図】  図２
2015202303.tif 000002
【特許請求の範囲】
【請求項１】
スマホを使用できる状態でスマホを保持中にひったくられないように、スマホを身体に繋いでおくことを特徴とするスマホ。
【発明の詳細な説明】
【技術分野】
【０００１】
本発明はひったくりから防止するスマホに関する。
【背景技術】
【０００２】
スマホ（スマートフォンの略）は、通常の携帯電話の機能に加えて、ＯＳ機能が充実しており、これまでの携帯端末に比較して、アプリケーションの数が多く、より多くの要求に対して対応できるようになっていることから、そのシェアは拡大しつつあるが、使用中にひったくられる事件が頻発している。
【発明の概要】
【発明が解決しようとする課題】
【０００３】
スマホは図１に示すように、片手（Ａ）又は両手（Ｂ）で保持して使用するのが普通であるが、最近使用中に突然、横や後から不審者によってひったくられると、防止することは容易ではない。
【０００４】
このような構成のスマホは、落下しやすく、また不審者によってひったくられると防止することは容易ではない。本発明はこのような課題に鑑みてなされたものであって、スマホがひったくられないようにしたスマホを提供することを目的としている。
【課題を解決するための手段】
【０００５】
スマホがひったくられても身体の一部から離れないようにした。
【発明の効果】
【０００６】
最近スマホが非常に普及し誰もが持っているが、ここで非常に大きな問題が発生している。それはスマホのひったくりという新しい犯罪である。スマホを片手又は両手で保持して操作していると、横から通りがかりにぱっとスマホをひったくっていくのである。この被害は非常に増大しており、盗られた人はスマホのみならず情報を全部盗られるので大変な損害になる。
【０００７】
このスマホひったくり犯罪を防止することは、今まで不可能だった。本発明はこの犯罪から完全に守ることができる画期的な発明である。しかもひったくり防止になるだけではなく、スマホの置き忘れ防止にもなるし、電話にも超高速で対応できるし、また自転車に乗りながらＧＰＳ走行もできる等のすぐれた発明である。
【図面の簡単な説明】
【０００８】
【図１】公知のスマホの使用例
【図２】本発明の実施例１示す図
【図３】本発明の実施例３を示す図
【図４】本発明の実施例４を示す図
【図５】本発明の使用状態を示す図
【図６】本発明の使用状態を示す図
【発明を実施するための形態】
【０００９】
以下、図面を参照して本発明の実施例を詳細に説明する。図１で公知のストラップと本発明の実施例１を説明する。スマホ１に公知ストラップ１２をつけることがあるが、スマホ１の上部１８につけ、且つ長さlは手首に達しない短いものであった。
本発明はこれと異なり、スマホ１の下部に取り付け、長さＬが手首に達する十分な長さとしたヒモ１３の先端に腕が入るような輪状１３−１になり、且つヒモ絞り１４を設けて、腕をヒモに通した後ヒモ絞り１４で絞める。このヒモ絞り１４が無くても本発明に含まれる。
【００１０】
図３は本発明実施例２でスマホ１の下部にヒモ１５をつけ、先端に腕を通す輪１７を設けるが、ヒモ１５に仲縮部１６を設け、長さが任意になるようになっている。
【００１１】
このように構成されたスマホにおいて、使用者がヒモ５とストラップ６とを絡めて持っていた場合に、不審者がスマホ１をひったくろうとした場合を考える。ヒモ５と使用者の指にストラップ６とが絡まっているので、不審者はスマホ１をひったくることができない。スマホのひったくりを諦めざるを得なくなる。
【００１２】
図４は本発明の他の０実施例示す図である。図１において、１はスマホ本体、１１は本発明ケースにつけたヒモ、９は防犯アラーム、１０はアラームが抜けた場合、接合保持の補助ヒモである。本発明腕を通せるヒモを付した本発明ケース３にスマホ本体１を入れる。ここで、本発明ケース３はスマホ１を保持するものであり、スマホ１と接着する部分には通気用の小穴が設けられている（図５の３や、図６の７の場合も同様である。）。
【００１３】
このように構成されたスマホにおいて、使用者がヒモ２を腕に通しスマホを通常通り作動させる。不審者がスマホ１をひったくろうとすると、ヒモ１１が伸びてアラーム１０が抜けるが、補助ヒモ１０と腕ヒモ２が使用者の手首に絡まっているので、不審者はスマホ１をひったくっても取れないし、アラームが発音し周囲が注目する。そして、これを見ただけでスマホのひったくりを諦めざるを得なくなり、予防にもなる。
【００１４】
図５は本発明の他の実施例を示す図である。ここでは、スマホがひったくられないように、手錠でスマホを保持するようにしたものである。図において、４は手錠である。５は手錠４と本発明ケース３に繋がれたヒモである。
この状態で、不審者がスマホをひったくる場合、手錠４は手首に入っているので、不審者はスマホをひったくることができないで、ひったくるのを諦める。なお、手錠は犯罪関係で用いられる金属製のものである必要はなく、丈夫なものであれば、布製やプラスチック製のものであってもよい。
【００１５】
図６は本発明の実施例５を示す側面図で．指先のない手袋６にスマホケース７を縫い付けた本発明スマホ防犯具である。８は拇指を出す穴である。これをスマホ１が手甲にくる状態になり、画面を出すと操作でき、電話通信ではそのまま腕を折り、耳に当てる。自転車では両手でハンドルを握りＧＰＳを見ながら通行できる。このように、本発明ではスマホを使いながら且つひったくりを防止することができる。
【００１６】
以上の説明では、ヒモとスマホとが身体に結合して、ひっぱっても外れないようにする場合を例にとった。しかしながら、本発明は実施例に限るものではなく、スマホ１を身体と繋いで、ひったくってもスマホ１が外れないものであれば、どのようなものを用いてもよくて、アラームがないものも本発明に含まれる。また、スマホ本体に直接取り付けたものも本発明に含まれる。
【産業上の利用可能性】
【００１７】
本発明では、スマホをひったくりから防止することを例にとって説明したが、本発明はこれに限るものではなく、スマホ以外の財布や定期券入れの小物の場合にも、スマホと同様にして用いることができる。このような場合も本発明に含まれるものである。
【符号の説明】
【００１８】
１    スマホ
２    本発明腕、手首ヒモ
３    本発明ケース
４    本発明手錠
５    同上用ヒモ
６    本発明手袋
７    同上ケース
８    同上拇指挿入孔
９    防犯アラーム
１０  補助ヒモ
１１  ケースと腕ヒモを結ぶヒモ
１２  公知ストラップ
１３  本発明実施例１ヒモ
１３−１  本発明手首通し
１４      本発明ヒモ絞り
１５      本発明実施例２ヒモ
１６      同上仲縮部
１７      同上手首通し部
１８    公知ストラップ取付部
１９    本発明ヒモ取付部
【図１】
2015202303.tif 000003
【図２】
2015202303.tif 000004
【図３】
2015202303.tif 000005
【図４】
2015202303.tif 000006
【図５】
2015202303.tif 000007
【図６】
2015202303.tif 000008